(57)【要約】      （修正有）【課題】排水ため桝の清掃に関するもので、排水ため桝用取換式のインナーカバーを用いる事で、排水ため桝の清掃を容易にすることができる排水ため枡用取換式インナーカバーを提供する。【解決手段】排水ため桝６の排水管は、排水ため桝設置工事業者により位置が事なる為、排水ため桝の内側に取り付けられる形状にした排水ため桝用取換式インナーカバーの側面部に、予めミシン目をいれておき、排水管５の位置に応じて簡単に排水管を通す穴をあけられる構造にする。【選択図】図２
0003171427.tif 000002
【実用新案登録請求の範囲】
【請求項１】
本考案は、排水ため桝の清掃に関するもので、排水ため桝の内側に、排水ため桝用取換式インナーカバーを装着し、個人での排水ため桝清掃の容易化、時間短縮化、衛生面の向上、清掃費用の軽減を行う事を目的としたものである。
【請求項２】
本考案の形状は、四角形と円形の排水ため桝に適したものである。
【考案の詳細な説明】
【技術分野】
【０００１】本考案は、排水ため桝の清掃に関するもので、排水ため桝用取換式のインナーカバーを用いる事で、排水ため桝の清掃を容易にし、また、排水ため桝の清掃費用を軽減するものである。
【背景技術】
【０００２】台所、風呂、トイレなどの排水管に設置する排水ため桝は、３ヶ月に１回程度の清掃を行う必要があるが、個人での排水ため桝の清掃は、時間がかかったり、不完全な清掃状態になったりする。また、業者に清掃を頼んで高圧清掃を実施した場合、配管の継ぎ手が緩んだりする事がある。
また、業者に頼んだ場合、１回につき３万円程度の清掃費用が発生する。
【考案が解決しようとする課題】
【０００３】排水ため桝清掃の容易化。
排水ため桝清掃の時間短縮、及び衛生面の向上。
排水ため桝清掃の費用軽減化。
【課題を解決するための手段】
【０００４】排水ため桝の内側に取り付けられる排水ため桝用取換式のインナーカバーを用いる事で、個人での清掃が非常に容易になり、更に時間短縮、及び衛生面の向上が可能になる。又、清掃費用を軽減できる。
【考案の効果】
【０００５】排水ため桝清掃の容易化、時間短縮、及び衛生面の向上が可能になる。
又、排水ため桝の清掃費用軽減化が可能になる。
【図面の簡単な説明】
【０００６】
【図１】  本考案の全体イメージ図である。
【図２】  排水ため桝用取換式インナーカバーの使用例の図である。
【考案を実施するための形態】
【０００７】排水ため桝用取換式インナーカバーの使用方法例を図２に示す。
排水ため桝用取換式インナーカバーを、排水ため桝内側に取り付ける。
【符号の説明】（１）排水配管の位置に合わせて切り取れるミシン目
（２）形状補強用の太い骨組み
（３）奪着時に使用する取手
（４）四角形排水ため桝用取換式インナーカバー
（５）排水管
（６）四角形排水ため桝
（７）円形排水ため桝用取換式インナーカバー
（８）円形排水ため桝
【図１】
0003171427.tif 000003
【図２】
0003171427.tif 000004
【手続補正書】
【提出日】平成23年2月2日(2011.2.2)
【手続補正１】
【補正対象書類名】明細書
【補正対象項目名】全文
【補正方法】変更
【補正の内容】
【考案の詳細な説明】
【技術分野】
【０００１】本考案は、排水ため桝の清掃に関するもので、排水ため桝用取換式のインナーカバーを用いる事で、排水ため桝の清掃を容易にし、また、排水ため桝の清掃費用を軽減するものである。
【背景技術】
【０００２】台所、風呂、トイレなどの排水管に設置する排水ため桝は、３ヶ月に１回程度の清掃を行う必要があるが、個人での排水ため桝の清掃は、時間がかかったり、不完全な清掃状態になったりする。また、業者に清掃を頼んで高圧清掃を実施した場合、配管の継ぎ手が緩んだりする事がある。また、業者に頼んだ場合、１回につき３万円程度の清掃費用が発生する。
【考案が解決しようとする課題】
【０００３】排水ため桝清掃の容易化。排水ため桝清掃の時間短縮、及び衛生面の向上。排水ため桝清掃の費用軽減化。
【課題を解決するための手段】
【０００４】排水ため桝の内側に、排水ため桝用取換式インナーカバーを装着し排水ため桝清掃時に排水ため桝用取換式インナーカバーを交換する事で早く簡単に清掃できる。
【考案の効果】
【０００５】排水ため桝の内側に、排水ため桝用取換式インナーカバーを装着する事で排水ため桝清掃は、排水ため桝用取換式インナーカバーを交換する事で簡単にできる。それにより、清掃時間が短縮し、衛生面の向上や清掃費用の軽減を行う事ができる。
【図面の簡単な説明】
【０００６】
【図１】排水ため桝用取換式インナーカバーの展開図、組立図である。
【図２】排水ため桝用取換式インナーカバーの使用例の図である。
【考案を実施するための形態】
【０００７】排水ため桝用取換式インナーカバーの使用方法例を図２に示す。排水ため桝用取換式インナーカバーを、排水ため桝内側に取り付ける。
【符号の説明】（１）排水ため桝用取換式インナーカバー本体部（２）排水管の位置に合わせて切り取れるミシン目部（３）奪着時に使用する取手（４）排水ため桝用取換式インナーカバー底部（５）排水管（６）排水ため桝
【手続補正２】
【補正対象書類名】実用新案登録請求の範囲
【補正対象項目名】全文
【補正方法】変更
【補正の内容】
【実用新案登録請求の範囲】
【請求項１】
排水ため桝の内側に取り付けられる形状にして、排水ため桝に溜まるゴミを取り換え時に簡単に清掃できる、排水ため桝用取換式インナーカバーである。
【請求項２】
排水ため桝の排水管は、排水ため桝設置工事業者により位置が事なる為、排水ため桝の内側に取り付けられる形状を特徴とする請求項１記載の排水ため桝用取換式インナーカバーに、予めミシン目をいれておき、排水管の位置に応じて簡単に排水管を通す穴をあけられる構造にした、排水ため桝用取換式インナーカバーである。
【手続補正３】
【補正対象書類名】図面
【補正対象項目名】全図
【補正方法】変更
【補正の内容】
【図１】
0003171427.tif 000005
【図２】
0003171427.tif 000006
【手続補正書】
【提出日】平成23年5月30日(2011.5.30)
【手続補正１】
【補正対象書類名】実用新案登録請求の範囲
【補正対象項目名】全文
【補正方法】変更
【補正の内容】
【実用新案登録請求の範囲】
【請求項１】
排水ため桝の内側に取り付けられる様に、排水ため桝内側の形状と同形状の排水ため桝取換式インナーカバー。
【請求項２】
排水ため桝の排水管は、排水ため桝設置工事業者により位置が事なる為、排水ため桝の内側に取り付けられる形状を特徴とする請求項１記載の排水ため桝用取換式インナーカバーの側面部に、予めミシン目をいれておき、排水管の位置に応じて簡単に排水管を通す穴をあけられる構造にした、排水ため桝用取換式インナーカバー。
【手続補正２】
【補正対象書類名】図面
【補正対象項目名】全図
【補正方法】変更
【補正の内容】
【図１】
0003171427.tif 000007
【図２】
0003171427.tif 000008
【手続補正３】
【補正対象書類名】明細書
【補正対象項目名】全文
【補正方法】変更
【補正の内容】
【考案の詳細な説明】
【技術分野】
【０００１】本考案は、排水ため桝の清掃に関するもので、排水ため桝用取換式のインナーカバーを用いる事で、排水ため桝の清掃を容易にし、また、排水ため桝の清掃費用を軽減するものである。
【背景技術】
【０００２】台所、風呂、トイレなどの排水管に設置する排水ため桝は、３ヶ月に１回程度の清掃を行う必要があるが、個人での排水ため桝の清掃は、時間がかかったり、不完全な清掃状態になったりする。また、業者に清掃を頼んで高圧清掃を実施した場合、配管の継ぎ手が緩んだりする事がある。
また、業者に頼んだ場合、１回につき３万円程度の清掃費用が発生する。
【考案が解決しようとする課題】
【０００３】排水ため桝清掃の容易化。
排水ため桝清掃の時間短縮、及び衛生面の向上。
排水ため桝清掃の費用軽減化。
【課題を解決するための手段】
【０００４】排水ため桝の内側に、排水ため桝用取換式インナーカバーを装着し排水ため桝清掃時に排水ため桝用取換式インナーカバーを交換する事で早く簡単に清掃できる。
【考案の効果】
【０００５】排水ため桝の内側に、排水ため桝用取換式インナーカバーを装着する事で排水ため桝清掃は、排水ため桝用取換式インナーカバーを交換する事で簡単にできる。それにより、清掃時間が短縮し、衛生面の向上や清掃費用の軽減を行う事ができる。
【図面の簡単な説明】
【０００６】
【図１】  排水ため桝用取換式インナーカバーの展開図、組立図である。
【図２】  排水ため桝用取換式インナーカバーの使用例の図である。
【考案を実施するための形態】
【０００７】排水ため桝用取換式インナーカバーの使用方法例を図２に示す。
排水ため桝用取換式インナーカバーを、排水ため桝内側に取り付ける。
【符号の説明】（１）排水ため桝用取換式インナーカバー側面部
（２）排水管の位置に合わせて切り取れるミシン目部
（３）奪着時に使用する取手
（４）排水ため桝用取換式インナーカバー底部
（５）排水管
（６）排水ため桝
（７）排水ため桝用取換式インナーカバー